(57)【要約】【課題】携帯型録音装置１０は内蔵メモリ３３や装着中のＳＤカードに格納しているオーディオファイルの音を再生することができる。オーディオファイルには、自機作成のものと、他の録音装置から転送されて来たもの等とが混在する。自機で録音した録音ファイルを能率的に検索できるようにする。【解決手段】携帯型録音装置１０が自機のメモリで管理するオーディオファイルの名前については、" - "で間を区切りつつ、”トラック番号” - ”アーティスト名” - ”楽曲名” - ”アルバム名” - ”ジャンル”の規格に準拠させる。携帯型録音装置１０が自機で作成した録音ファイルの名前は、トラック番号にユニークな通し番号０００１，０００２・・・を、アーティスト名に”ＲＥＣＯＲＤＥＤ” を、ジャンルに”録音イコライザ＋ＲＥＣ”を書込んだものにして、該オーディオファイルを格納する。録音イコライザにはボイスやライブ等がある。【選択図】図３
2010003363.tif 000002
【特許請求の範囲】
【請求項１】
供給されたコンテンツ信号からコンテンツファイル用のコンテンツデータを生成するコンテンツデータ生成手段、
該コンテンツデータ生成手段が生成した前記コンテンツデータのコンテンツファイルについて、該コンテンツファイルが自機作成によるものである旨の自作成情報付きのファイル名及び／又はタグ情報を生成する記録関連情報生成手段、及び
前記コンテンツデータ生成手段が生成した前記コンテンツデータのコンテンツファイルを、前記記録関連情報生成手段が生成したファイル名にして及び／又はタグ情報付きファイルにして、記憶媒体に格納するコンテンツファイル格納手段、
を備えることを特徴とするコンテンツ記録装置。
【請求項２】
前記記録関連情報生成手段は、前記コンテンツデータ生成手段が前記コンテンツデータを生成する際に基にした記録関連ユーザ設定の情報付きのファイル名及び／又はタグ情報を生成することを特徴とする請求項１記載のコンテンツ記録装置。
【請求項３】
前記記録関連情報生成手段は、前記自作成情報をファイル名及び／又はタグ情報の第１の情報領域に書込んだファイル名及び／又はタグ情報を生成することを特徴とする請求項２記載のコンテンツ記録装置。
【請求項４】
前記記録関連情報生成手段は、記録関連ユーザ設定の情報をファイル名及び／又はタグ情報の前記第１の情報領域とは別の第２の情報領域に書込んだファイル名及び／又はタグ情報を生成することを特徴とする請求項３記載のコンテンツ記録装置。
【請求項５】
前記第１及び第２の情報領域はそれぞれアーティスト名領域及びジャンル領域であることを特徴とする請求項４記載のコンテンツ記録装置。
【請求項６】
前記記録関連情報生成手段は、自機作成のコンテンツファイル間で相互に異なる識別子を含むファイル名を生成することを特徴とする請求項１〜５のいずれかに記載のコンテンツ記録装置。
【請求項７】
供給されたコンテンツ信号からコンテンツファイル用のコンテンツデータを生成するコンテンツデータ生成ステップ、
該コンテンツデータ生成ステップにおいて生成した前記コンテンツデータのコンテンツファイルについて、該コンテンツファイルが自機作成によるものである旨の自作成情報付きのファイル名及び／又はタグ情報を生成する記録関連情報生成ステップ、及び
前記コンテンツデータ生成ステップにおいて生成した前記コンテンツデータのコンテンツファイルを、前記記録関連情報生成ステップにおいて生成したファイル名にして及び／又はタグ情報付きファイルにして、記憶媒体に格納するコンテンツファイル格納ステップ、
を備えることを特徴とするコンテンツ記録方法。
【請求項８】
請求項１〜６のいずれかに記載のコンテンツ記録装置の各手段としてコンピュータを機能させるプログラム。
【発明の詳細な説明】
【技術分野】
【０００１】
本発明は、内蔵マイクロホン等から供給されるコンテンツ信号からコンテンツファイルを作成して記憶媒体に格納するコンテンツ記録装置、方法及びプログラムに関する。
【背景技術】
【０００２】
公知の携帯型録音装置には、内蔵マイクロホンを使って種々の音をＷＭＡ等のオーディオファイルで内蔵メモリや着脱自在のＳＤカード等の自機のメモリに録音するとともに、自機のメモリに格納しているオーディオファイルの音を再生することができるものがある。該携帯型録音装置は、ＵＳＢケーブル等によりパソコンへ接続して、パソコン等から楽曲ファイルを自機のメモリへ転送したり、他のオーディオ装置やパソコンで楽曲ファイルを格納したフラッシュメモリを自機のスロットに装着したりして、それら楽曲ファイル等の音を再生することもできる。
【０００３】
該携帯型録音装置を含む従来の録音装置では、自機で作成した録音ファイルを自機内のメモリに格納する場合、該メモリ内の既存のオーディオファイルが該録音ファイルにより上書きされて喪失しないようにするために、録音ファイルのファイル名を通し番号やタイムスタンプにして、既存のオーディオファイルの名前とは別の名前で録音ファイルを格納している。
【０００４】
一方、特許文献１は、録音機能を装備する情報処理装置において、録音ファイル名を通し番号等にする場合には、ユーザが後から所望の録音ファイルをファイル名を基に探す場合に、ファイル名から録音内容を明確に思い出せないことを問題点として指摘する（特許文献１の段落０００７及び図９）。特許文献１の情報処理装置は、これに対処するため、情報処理装置がスケジュールソフトをインストールしていることに着目し（特許文献１の図６）、スケジュール表から録音が行われた日時に対応するスケジュールを探し出し、該スケジュール（特許文献１の図の例では「１０：００−１２：００Ａ社との会議」）に対応するファイル名で（特許文献１の図５の例では「会議Ａ社」）録音ファイルを格納する。
【特許文献１】特開２００１−２４３１９９号公報
【発明の開示】
【発明が解決しようとする課題】
【０００５】
録音装置では、自機のメモリに他機から転送した楽曲ファイル（ファイル名やタグ情報無しのファイルも含む。）等のオーディオファイルと自機での録音により作成したオーディオファイルとが混在することが起こり得る。録音装置では、自機内のメモリに格納しているオーディオファイルについて、そのファイル名やタグ情報に含まれるアーティスト名等に基づき分類分けして、リスト表示し、これにより、ユーザは、所望のオーディオファイルを能率的に検索できるようになっているが、ファイル名が通し番号等にされて、タグ情報がないオーディオファイルは、「Ｎｏ  Ｉｎｆｏｒｍａｔｉｏｎ」とか「ＵＮＫＮＯＷＮ」と表示されるだけであるので、ユーザは、自機で作成したオーディオファイルを探し出すのに手間がかかる。
【０００６】
特許文献１の情報処理装置におけるオーディオファイルの名前をスケジュール表のスケジュール名と同一又は近似のものにすることは、スケジュールソフトをインストールしている情報処理装置のみに適用可能であり、スケジュールソフトをインストールしていない情報処理装置や、スケジュールソフトをインストールしていても、スケジュールがスケジュール表に登録されていない日時に録音したオーディオファイルには適用できない。
【０００７】
なお、特許文献１は、スケジュールがスケジュール表に登録されていない日時に録音したオーディオファイルには、録音フォーマット（例：８ｋＨｚ，８ビット、ステレオ）をファイル名（例：８ｋ８ｂ２ｃｈ．ｗａｖ）とすることも開示する（特許文献１の段落００２８）。しかしながら、該録音フォーマットのファイル名は、あくまで録音フォーマットを示すものであり、自機で録音したものであることを示すには至らない。
【０００８】
本発明の目的は、自機で作成したコンテンツファイルを能率的に見つけ出せるようにするコンテンツ記録装置、方法及びプログラムを提供することである。
【課題を解決するための手段】
【０００９】
本発明によれば、自機で作成したコンテンツファイルに対し、そのファイル名及び／又はタグ情報に、自機が該コンテンツファイルを作成した旨の自作成情報が含まれるようにする。典型的なコンテンツ記録装置は、自機の記憶媒体に格納されているコンテンツファイルをファイル名及び／又はタグ情報に基づき所定の分類分けを行って、リスト表示できるものになっており、この分類分けの際に、ファイル名及び／又はタグ情報に含まれる、自機が該コンテンツファイルを作成した旨の自作成情報が利用される。
【００１０】
本発明のコンテンツ記録装置は次のものを備えている。
供給されたコンテンツ信号からコンテンツファイル用のコンテンツデータを生成するコンテンツデータ生成手段、
該コンテンツデータ生成手段が生成した前記コンテンツデータのコンテンツファイルについて、該コンテンツファイルが自機作成によるものである旨の自作成情報付きのファイル名及び／又はタグ情報を生成する記録関連情報生成手段、及び
前記コンテンツデータ生成手段が生成した前記コンテンツデータのコンテンツファイルを、前記記録関連情報生成手段が生成したファイル名にして及び／又はタグ情報付きファイルにして、記憶媒体に格納するコンテンツファイル格納手段。
【００１１】
本発明のコンテンツ記録方法は次のステップを備えている。
供給されたコンテンツ信号からコンテンツファイル用のコンテンツデータを生成するコンテンツデータ生成ステップ、
該コンテンツデータ生成ステップにおいて生成した前記コンテンツデータのコンテンツファイルについて、該コンテンツファイルが自機作成によるものである旨の自作成情報付きのファイル名及び／又はタグ情報を生成する記録関連情報生成ステップ、及び
前記コンテンツデータ生成ステップにおいて生成した前記コンテンツデータのコンテンツファイルを、前記記録関連情報生成ステップにおいて生成したファイル名にして及び／又はタグ情報付きファイルにして、記憶媒体に格納するコンテンツファイル格納ステップ。
【００１２】
本発明のプログラムは、本発明のコンテンツ記録装置の各手段としてコンピュータを機能させる。
【発明の効果】
【００１３】
本発明によれば、自機で作成したコンテンツファイルは、自機が該コンテンツファイルを作成した旨の自作成情報がファイル名及び／又はタグ情報に含められているので、ファイル名及び／又はタグ情報における該自作成情報を基に自機作成のコンテンツファイルを能率的に探し出せるようになる。
【発明を実施するための最良の形態】
【００１４】
図１は携帯型録音装置１０の正面図である。該携帯型録音装置１０は、ＤＡＰ（デジタルオーディオプレーヤ：Digital Audio Player）も兼ねる。携帯型録音装置１０は中央マイクロホン１１及び左及び右のマイクロホン１２ｌ，１２ｒの計３個のマイクロホンを装備する。中央マイクロホン１１は携帯型録音装置１０の上端面に配備される。左及び右のマイクロホン１２ｌ，１２ｒは携帯型録音装置１０の上端部の左右側面に配備される。表示部１３及び操作部１４は、携帯型録音装置１０の正面のそれぞれほぼ上半部及び下半部を占めている。表示部１３は、液晶を利用するものであり、録音及び再生に係る各種の情報を表示する。
【００１５】
操作部１４は、録音キー１７、再生／停止キー１８、上移動キー１９ｕ、下移動キー１９ｄ、音量増加キー２０ｕ及び音量減少キー２０ｄ等を有している。録音キー１７は、操作部１４の上辺部に配置され、録音開始時に押下される。再生／停止キー１８は、操作部１４のほぼ中央に配備され、ユーザが押下するごとに再生と停止とが交互に切替わるようになっている。再生／停止キー１８は録音を停止させる時にも押下される。上移動キー１９ｕ及び下移動キー１９ｄは、再生／停止キー１８を包囲する枠体の上及び下部の部位となっている。該枠体は、ユーザが上、下、左及び右のいずれかの部位を選択して押下するようになっている。上移動キー１９ｕ及び下移動キー１９ｄは、例えばカーソル移動、階層移動及び録音レベル等の設定値増減の際に押下される。音量増加キー２０ｕ及び音量減少キー２０ｄは操作部１４の右辺部に配置され、音量増加キー２０ｕ及び音量減少キー２０ｄが押下されるごとに、再生音量が段階的に増加及び減少するようになっている。
【００１６】
ピークオーバーＬＥＤ２１は、表示部１３と操作部１４との間に配備され、ピークオーバーレベルの発生時には赤色に点灯する。ヘッドホン２３は、携帯型録音装置１０の下端面に配備されているジャック（図示せず）にプラグを差込み自在になっている。携帯型録音装置１０は、フラッシュメモリから成る内蔵メモリ３３（図２）を装備するとともに、下端面のカードスロット３２（図２）からＳＤカードを装填自在になっている。ユーザは、ヘッドホン２３の左右の放音部をそれぞれ左右の耳に装填して、再生中及び録音中に放音部から再生音及びモニター音を聴取する。
【００１７】
携帯型録音装置１０は、さらに、その側面にマイクロホン端子及びＬＩＮＥ＿ＩＮ端子を装備する。マイクロホン端子は、外付けマイクロホンのケーブルのプラグを着脱自在に装着される。ＬＩＮＥ＿ＩＮ端子には、他の録音装置のＬＩＮＥ＿ＯＵＴ端子からのケーブルが接続されて、該ケーブルを介して他の録音装置で再生したアナログのオーディオ再生信号を供給される。携帯型録音装置１０は、そのＬＩＮＥ＿ＩＮ端子へ入力したアナログのオーディオ再生信号に係る音も録音可能になっている。
【００１８】
図２は携帯型録音装置１０のブロック回路図である。ＵＳＢコネクタ３１は、ＵＳＢケーブルのミニＢ端子が着脱自在に装着されるようになっている。カードスロット３２はＳＤカードを挿抜自在に装填される。内蔵メモリ３３は、ＳＤカードと同様にＮＡＮＤ型フラッシュメモリから成り、常時装備状態になっている。
【００１９】
システムＬＳＩ３５はＣＰＵ３６及びエンコーダ・デコーダ３７を備える。ＣＰＵ３６は、ＵＳＢコネクタ３１、カードスロット３２及び内蔵メモリ３３へ制御信号を送り、システムＬＳＩ３５と他機（例：パソコン）、ＳＤカード及び内蔵メモリ３３との間でのデータ送受を制御する。エンコーダ・デコーダ３７は、カードスロット３２のＳＤカードや内蔵メモリ３３から受取ったオーディオデータを該オーディオデータに係るオーディオファイルのフォーマットに基づきデコードしたり、カードスロット３２のＳＤカードや内蔵メモリ３３へ送るオーディオデータを事前に該オーディオデータに係るオーディオファイルのフォーマットに基づきエンコードしたりする。
【００２０】
マイクロホンアンプ４０及びアナログ／デジタル変換器４１は、各マイクロホン１１，１２ｌ，１２ｒごとに用意されており、各マイクロホン１１，１２ｌ，１２ｒが生成したオーディオ信号は、対応のマイクロホンアンプ４０において増幅されてから、対応のアナログ／デジタル変換器４１においてデジタル信号へ変換され、その後、ＤＳＰ４３のイコライザ４４へ供給される。イコライザ４４は、ユーザが設定した録音イコライザ形式で、アナログ／デジタル変換器４１からのデジタルオーディオ信号を処理して、エンコーダ・デコーダ３７へ供給する。
【００２１】
エンコーダ・デコーダ３７は、オーディオファイルの音の再生時には、オーディオファイルのデータをデコードしたデジタルオーディオ信号をデジタル／アナログ変換器４８へ供給する。デジタル／アナログ変換器４８は、該デジタルオーディオ信号をアナログオーディオ信号へ変換し、該アナログオーディオ信号は、ヘッドホンアンプ４９において増幅されてから、ヘッドホン２３へ送られ、ヘッドホン２３において音に変換されて、出力される。
【００２２】
図３は携帯型録音装置１０が自機での録音により作成した録音ファイル５３ａ，５３ｂ，５３ｃ，・・・が自機のメモリに格納されている状態を示している。携帯型録音装置１０は、自機で録音して作成した録音ファイル５３ａ，５３ｂ，５３ｃ，・・・をカードスロット３２のＳＤカード又は内蔵メモリ３３へ格納するようになっている。どちらのメモリに格納するかは、携帯型録音装置１０のユーザが事前に設定する。図３では、録音ファイル５３ａ，５３ｂ，５３ｃ，・・・は、メモリ内のルート直下に格納されているが、自機作成の録音ファイル専用のフォルダをルートより１つ下の階層に作成し、該フォルダ内に格納することもできる。
【００２３】
携帯型録音装置１０では、メモリに格納している楽曲ファイル等のオーディオファイルのファイル名について、" - "で間を区切りつつ、”トラック番号” - ”アーティスト名” - ”楽曲名” - ”アルバム名” - ”ジャンル”とする規格に準拠させて、録音ファイル５３ａ，５３ｂ，５３ｃ，・・・を処理するようになっている。そして、携帯型録音装置１０は、自機で録音して作成した録音ファイル５３ａ，５３ｂ，５３ｃ，・・・のファイル名については、上記ファイル名規格におけるトラック番号、アーティスト名、及びジャンルの領域にそれぞれ”通し番号”、”ＲＥＣＯＲＤＥＤ”、及び”録音イコライザ＋ＲＥＣ”を書込み、その他の領域をブランクとし、”通し番号” - ”ＲＥＣＯＲＤＥＤ” -  -  - ”録音イコライザＲＥＣ”とするように設定している。なお、通し番号は録音ファイル間でユニークとなっている。
【００２４】
録音イコライザには、例えば、ボイス（会議など、話している人の声を広範囲に集音）、ライブ（自然で広がりのある録音）及びインタビュー（近接の人声にフォーカスした録音がある、図３の”ボイスＲＥＣ”、”ライブＲＥＣ”、及び”インタビュー”は、録音イコライザがそれぞれボイス、ライブ、及びインタビューであることを意味している。録音イコライザには、さらに、この外として、ヴォーカル（中音域のヴォーカル部分にフォーカスした録音）、ローカット１（低音ノイズをカット）、及びローカット２（ローカット１より広範囲の低音ノイズをカット）がある。
【００２５】
図３の各録音ファイル５３ａ，５３ｂ，５３ｃ，・・・のファイル名は自機作成の録音ファイルについての上記命名方式に準拠している。”ＲＥＣＯＲＤＥＤ”と、”録音イコライザ＋ＲＥＣ”との２要素の識別だけでは、複数の録音に対して同一ファイル名の録音ファイルが作成されてしまうおそれがあるが、通し番号の付加によりこれが回避され、既存の録音ファイルが新規の録音ファイルに上書きされて喪失しまうことが防止される。
【００２６】
携帯型録音装置１０は、自機で録音して作成した録音ファイルについて、ファイル名を上記規格のように命名するとともに、”ＲＥＣＯＲＤＥＤ”と、”録音イコライザ＋ＲＥＣ”との２要素は録音ファイルのタグ情報としても使用する。例えばＭＰ３のＩＤ３タグには、アーティスト名及びジャンル番号を書込めるようになっている。
【００２７】
図４は携帯型録音装置１０が自機での録音をＭＰ３の録音ファイルで記録する場合の該録音ファイルにおけるＩＤ３タグの内容を示している。図４の録音ファイルは図３の録音ファイル５３ａに対応するものである。
【００２８】
図４において、タイトル（＝楽曲名）のタグ領域には、ファイル名（図３参照）と同じ”０００１−ＲＥＣＯＲＤＥＤ−−−ボイスＲＥＣ”のテキストが書込まれる。アーティストのタグ領域には、該録音ファイルが自機において作成したものであることを示す”ＲＥＣＯＲＤＥＤ”が書込まれるジャンルのタグ領域には、該録音ファイルを作成した時に使用した録音イコライザに対応付けた番号が書込まれる。
【００２９】
図５は各録音イコライザとジャンルのタグ領域に書込む番号との対応付けの一例を示している。図４のジャンルのタグ領域の番号は”２５３”となっているが、これは録音イコライザがボイスであることを意味する。携帯型録音装置１０は、録音ファイルの格納時及び録音ファイルのオーディオ再生や検索時に、図５の対応付けに基づきＩＤ３タグのジャンル領域に番号を書込んだり、ジャンル領域の番号から録音イコライザを表示したりする。
【００３０】
図４に戻って、コメントのタグ領域には、該録音ファイルを作成した時に使用した録音イコライザがテキストで記載される。図４のＩＤ３タグの記載内容では、該録音ファイルの作成時の録音イコライザについてジャンルとコメントとに重複して記載しているが、どちらか一方を省略することもできる。図３の録音ファイル５３ａ以外の録音ファイル５３ｂ，５３ｃ，・・・のタグ記載内容も、録音ファイル５３ａと同じ仕方で記載される。
【００３１】
携帯型録音装置１０におけるメモリ内のオーディオファイル検索では、ファイル名及び／又はタグにおけるアーティスト名やジャンル等で分類して、各分類のオーディオファイルを表示部１３に所定の順番（例：五十音順や書込み順）でリスト表示するようになっている。自機で録音して作成した録音ファイルのアーティスト名はすべて”ＲＥＣＯＲＤＥＤ”となっているので、ユーザは、アーティスト名が”ＲＥＣＯＲＤＥＤ”となっているオーディオファイルは、自分が携帯型録音装置１０を使って録音したものであることが直ちに分かる。また、ジャンルでオーディオファイルを検索すると、各録音ファイルは、その作成時に使用した録音イコライザごとに別々のジャンルで表示部１３に表示されるので、ユーザはジャンルから自機において作成した録音ファイルであること及びその録音イコライザを把握することができる。
【００３２】
図６はコンテンツ記録装置６０の機能ブロック図である。コンテンツ記録装置６０の一例は前述の携帯型録音装置１０である。コンテンツ記録装置６０は、音をファイル形式で記録するものに限定されない。ビデオ（動画）や静止画をファイル形式で記録するものであってもよい。コンテンツ記録装置６０は携帯型に限定されない。コンテンツ記録装置６０は、記録機能は必須であるが、再生機能は装備していなくてもよい。コンテンツ記録装置６０は、コンテンツデータ生成手段６１、記録関連情報生成手段６２及びコンテンツファイル格納手段６３を備える。
【００３３】
コンテンツデータ生成手段６１は、供給されたコンテンツ信号からコンテンツファイル用のコンテンツデータを生成する。記録関連情報生成手段６２は、コンテンツデータ生成手段６１が生成したコンテンツデータのコンテンツファイルについて、該コンテンツファイルが自機作成によるものである旨の自作成情報付きのファイル名及び／又はタグ情報を生成する。コンテンツファイル格納手段６３は、コンテンツデータ生成手段６１が生成したコンテンツデータのコンテンツファイルを、記録関連情報生成手段６２が生成したファイル名にして及び／又はタグ情報付きファイルにして、記憶媒体６６に格納する。
【００３４】
コンテンツデータ生成手段６１が生成するコンテンツデータの基になるコンテンツ信号は、典型的には、コンテンツ記録装置６０の内蔵マイクが生成したものであるが、内蔵カメラ、外付けのマイクロホンやビデオ機器や再生機器が生成したものであってもよい。記録ファイルは、例えばＭＰ３、ＷＡＶ又はＷＭＡ形式のオーディオファイル、ＭＰ３のビデオファイル、又はＪＰＥＧの画像ファイルである。記録ファイルは圧縮形式に限定されない。非圧縮形式であってもよい（例：ＷＡＶのオーディオファイル）。
【００３５】
記録関連情報生成手段６２は、自機作成のコンテンツファイルについて、（ａ）自機作成の旨の情報を含むファイル名を生成すること、及び（ｂ）自機作成の旨の情報を含むタグ情報を生成することのいずれか一方又は両方を行うことができる。同様に、コンテンツファイル格納手段６３は、記憶媒体６６に格納するコンテンツファイルについて、（ｃ）自機作成の旨の情報を含むファイル名とすること、及び（ｄ）自機作成の旨の情報を含むタグ情報にすることのいずれか一方又は両方を行うことができる。この具体例は、携帯型録音装置１０において自機作成のオーディオファイルについて”ＲＥＣＯＲＤＥＤ”を含むファイル名とすること（図３）、及び該オーディオファイルのタグ情報に”ＲＥＣＯＲＤＥＤ”のテキストを付加することである（図４）。
【００３６】
記憶媒体６６の具体例は、内蔵メモリ３３や着脱自在のＳＤカードである。コンテンツ記録装置６０の典型的な記憶媒体６６では、自機作成のコンテンツファイルと、パソコンや他の記録装置でリッピングされて転送されてきた楽曲ファイル等のコンテンツファイルが混在する。コンテンツ記録装置６０では、そのユーザ自身が記録したコンテンツファイルは、その旨がそのファイル名及び／又はタグ情報として含まれるので、それを基に検索することにより、能率的に見つけ出すことができる。
【００３７】
好ましくは、記録関連情報生成手段６２は、コンテンツデータ生成手段６１がコンテンツデータを生成する際に基にした録音関連ユーザ設定の情報付きのファイル名及び／又はタグ情報を生成する。録音関連ユーザ設定とは、例えば携帯型録音装置１０における録音イコライザである。
【００３８】
典型的には、記録関連情報生成手段６２は、自作成情報をファイル名及び／又はタグ情報の第１の情報領域に書込んだファイル名及び／又はタグ情報を生成し、録音関連ユーザ設定の情報をファイル名及び／又はタグ情報の第１の情報領域とは別の第２の情報領域に書込んだファイル名及び／又はタグ情報を生成する。第１及び第２の情報領域とは、例えば、それぞれアーティスト名領域及びジャンル領域である。携帯型録音装置１０における図３の例では、ファイル名のジャンル領域に”ボイスＲＥＣ”や”ライブＲＥＣ”の録音イコライザを書込んでいる。このように領域別に作成時の種々の情報を書き込めば、それを基に検索やソーティングも可能になり、ユーザがコンテンツ記録装置６０において自分で記録したコンテンツファイルをさらに能率的に探し出すことができる。
【００３９】
典型的には、記録関連情報生成手段６２は、自機作成のコンテンツファイル間で相互に異なる識別子を含むファイル名を生成する。該識別子の具体例は、図３における”０００１”，”０００２”，・・・等の通し番号である。通し番号に代えて録音日時としてのタイムスタンプであってもよい。
【００４０】
図７はコンテンツ記録方法のフローチャートである。コンテンツ記録方法は、コンテンツ記録装置６０に適用される。Ｓ７１では、供給されたコンテンツ信号からコンテンツファイル用のコンテンツデータを生成する。
【００４１】
Ｓ７２では、Ｓ７１において生成したコンテンツデータのコンテンツファイルについて、該コンテンツファイルが自機作成によるものである旨の自作成情報付きのファイル名及び／又はタグ情報を生成する。Ｓ７３では、Ｓ７１において生成したコンテンツデータのコンテンツファイルを、Ｓ７３において生成したファイル名にして及び／又はタグ情報付きファイルにして、記憶媒体６６に格納する。
【００４２】
Ｓ７１〜Ｓ７３の処理は、コンテンツ記録装置６０（図６）のコンテンツデータ生成手段６１〜コンテンツファイル格納手段６３の機能にそれぞれ対応している。したがって、コンテンツデータ生成手段６１〜コンテンツファイル格納手段６３の機能について述べた具体的態様はＳ７１〜Ｓ７３の処理についての具体的態様としても適用可能である。
【００４３】
本発明を適用したプログラムは、コンピュータをコンテンツ記録装置６０の各手段として機能させる。本発明を適用した別のプログラムは、コンテンツ記録方法の各ステップをコンピュータに実行させる。
【００４４】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４５】
【図１】携帯型録音装置の正面図である。
【図２】携帯型録音装置のブロック回路図である。
【図３】携帯型録音装置が自機での録音により作成した録音ファイルが自機のメモリに格納されている状態を示す図である。
【図４】携帯型録音装置が自機での録音をＭＰ３の録音ファイルで記録する場合の該録音ファイルにおけるＩＤ３タグの内容を示す図である。
【図５】各録音イコライザとジャンルのタグ領域に書込む番号との対応付けの一例を示す図である。
【図６】録音装置の機能ブロック図である。
【図７】録音方法のフローチャートである。
【符号の説明】
【００４６】
６０：コンテンツ記録装置、６１：コンテンツデータ生成手段、６２：記録関連情報生成手段、６３：コンテンツファイル格納手段、６６：記憶媒体、７０：コンテンツ記録方法。
【図１】
2010003363.tif 000003
【図２】
2010003363.tif 000004
【図３】
2010003363.tif 000005
【図４】
2010003363.tif 000006
【図５】
2010003363.tif 000007
【図６】
2010003363.tif 000008
【図７】
2010003363.tif 000009